(57)【特許請求の範囲】
【請求項１】
出入口の左右に設けられている縦枠と、前記出入口の上部に設けられている上枠とを有する出入口枠、
前記出入口を開閉するエレベータドア、
前記出入口枠の表面から突出して前記出入口枠に取り付けられ、発光することにより前記エレベータドアの動作に対する乗場及びかご内にいる利用者への注意喚起を行う発光器、及び
前記エレベータドアの動作に同期して前記発光器を制御する発光器制御部
を備え、
前記発光器は、発光体と、前記発光体を覆う照明カバーとを有しており、
前記発光体は、発光体取付ねじにより、前記出入口側から前記出入口枠に固定されており、
前記照明カバーは、カバー取付ねじにより、前記出入口側から前記出入口枠に固定されているエレベータの出入口装置。
【請求項２】
前記エレベータドアの開閉動作を制御する開閉制御部をさらに備え、
前記発光器制御部は、前記開閉制御部からの情報に基づいて、前記エレベータドアの開動作の開始直前及び／又は閉動作中に前記発光器を発光させる請求項１記載のエレベータの出入口装置。
【請求項３】
前記発光器は、前記上枠に取り付けられている請求項１又は請求項２に記載のエレベータの出入口装置。
【請求項４】
前記発光器は、前記上枠の下面から下方へ突出しており、
前記上枠の下面からの前記発光器の突出寸法は、４ｍｍよりも大きく、２０ｍｍ以下であり、かつ前記出入口の高さ寸法の１％以下である請求項３記載のエレベータの出入口装置。
【請求項５】
前記出入口の床面から前記発光器の下面までの高さ寸法は、１８５０ｍｍよりも大きい請求項４記載のエレベータの出入口装置。
【請求項６】
前記出入口は、２枚以上の前記エレベータドアにより開閉され、
前記エレベータドアの開閉方式は、中央開き式であり、
前記発光器は、前記出入口の幅方向中央に配置されている請求項１から請求項５までのいずれか１項に記載のエレベータの出入口装置。
【請求項７】
前記エレベータドアの開閉方式は、片開き式であり、
前記発光器は、前記出入口枠の反戸袋側端部近傍に配置されている請求項１から請求項５までのいずれか１項に記載のエレベータの出入口装置。
【請求項８】
前記エレベータドアの開閉方式は、片開き式であり、
前記発光器は、前記出入口の幅方向中央に配置されている請求項１から請求項５までのいずれか１項に記載のエレベータの出入口装置。
【請求項９】
前記発光器は、前記出入口枠の戸袋側端部近傍に配置されている請求項１から請求項８までのいずれか１項に記載のエレベータの出入口装置。
【請求項１０】
左右の前記縦枠の上端部近傍に前記発光器がそれぞれ配置されている請求項１から請求項９までのいずれか１項に記載のエレベータの出入口装置。
【請求項１１】
前記出入口枠には、開口と複数のねじ孔とが設けられており、
前記発光器は、前記出入口側から前記ねじ孔に前記発光体取付ねじ及び前記カバー取付ねじを螺着することにより前記出入口枠に固定されており、
前記開口には、前記発光器と前記発光器制御部とを接続する配線が通されている請求項１から請求項１０までのいずれか１項に記載のエレベータの出入口装置。
【請求項１２】
前記発光器制御部は、前記発光器の発光とともに音による注意喚起を実行する請求項１から請求項１１までのいずれか１項に記載のエレベータの出入口装置。
【発明の詳細な説明】
【技術分野】
【０００１】
この発明は、出入口の左右及び上部に設けられた出入口枠と、出入口を開閉するエレベータドアとを有するエレベータの出入口装置に関するものである。
【背景技術】
【０００２】
従来のエレベータの乗場ドア装置では、戸開動作の開始前に、三方枠の裏側に設けられた光源が点滅される。光源からの光は、ドアパネルと三方枠との間の隙間を通してドアパネルの表面に照射され、乗場側へ反射される（例えば、特許文献１参照）。【０００３】
また、従来のエレベータのかごドア装置では、出入口枠の上枠に発光器及び受光器が設けられ、出入口枠の縦枠に反射器が設けられている。戸開動作時には、発光器から反射器へ向けて検出光が出射される。検出光は、反射器で反射されて受光器に入射される。検出光の経路の途中に異物が存在すると、異物により検出光が遮られ、これが受光器により検出される。縦枠の近傍で異物が検出されると、戸開動作が中断され、警告が発せられる。これにより、縦枠とドアパネルとの間に異物が引き込まれるのが未然に防止される（例えば、特許文献２参照）。
【先行技術文献】
【特許文献】
【０００４】
【特許文献１】特開２００４−２０３６０８号公報
【特許文献２】特開２００３−３２１１７７号公報
【発明の概要】
【発明が解決しようとする課題】
【０００５】
特許文献１に示された従来の乗場ドア装置では、光源からの光が間接光として乗場に届くため、利用者が気付きにくい。また、特許文献２に示された従来のかごドア装置では、発光器、受光器及び反射器等の多くの機器を出入口枠に埋め込む必要があるため、上枠や縦枠の交換、又は上枠や縦枠に対する高度な加工が必要となり、改修費用が高くなる。【０００６】
この発明は、上記のような課題を解決するためになされたものであり、エレベータドアの動作時に乗場及びかご内にいる利用者の注意をより確実に喚起することができ、しかも注意喚起を行う発光器を出入口枠に容易に取り付けることができるエレベータの出入口装置を得ることを目的とする。
【課題を解決するための手段】
【０００７】
この発明に係るエレベータの出入口装置は、出入口の左右に設けられている縦枠と、出入口の上部に設けられている上枠とを有する出入口枠、出入口を開閉するエレベータドア、出入口枠の表面から突出して出入口枠に取り付けられ、発光することによりエレベータドアの動作に対する乗場及びかご内にいる利用者への注意喚起を行う発光器、及びエレベータドアの動作に同期して発光器を制御する発光器制御部を備えている。
【発明の効果】
【０００８】
この発明のエレベータの出入口装置は、発光器が出入口枠の表面から突出して出入口枠に取り付けられているので、エレベータドアの動作時に乗場及びかご内にいる利用者の注意をより確実に喚起することができ、しかも注意喚起を行う発光器を出入口枠に容易に取り付けることができる。
【図面の簡単な説明】
【０００９】
【図１】この発明の実施の形態１によるエレベータを示す構成図である。
【図２】図１のかごドア及びその周辺をかご室内から見た正面図である。
【図３】図２の発光器及び発光器制御部を拡大して示す正面図である。
【図４】図３の発光器及び発光器制御部の出入口上板への取付方法を示す分解図である。
【図５】図２のＶ−Ｖ線に沿う断面図である。
【図６】図２の発光器制御部の動作を示すフローチャートである。
【図７】この発明の実施の形態２によるエレベータの出入口装置の要部断面図である。
【図８】この発明の実施の形態３によるエレベータの出入口装置を示す正面図である。
【図９】この発明の実施の形態４によるエレベータの出入口装置を示す正面図である。
【図１０】この発明の実施の形態５によるエレベータの出入口装置を示す正面図である。
【図１１】この発明の実施の形態６によるエレベータの出入口装置を示す正面図である。
【図１２】この発明の実施の形態７によるエレベータの出入口装置を示す正面図である。
【図１３】この発明の実施の形態８によるエレベータの出入口装置を示す正面図である。
【図１４】この発明の実施の形態９によるエレベータの出入口装置を示す正面図である。
【発明を実施するための形態】
【００１０】
以下、この発明を実施するための形態について、図面を参照して説明する。
実施の形態１．
図１はこの発明の実施の形態１によるエレベータを示す構成図である。図において、昇降路１の上部には、機械室２が設けられている。機械室２には、巻上機（駆動装置）３、そらせ車４、及びエレベータ制御装置（制御盤）５が設置されている。巻上機３は、駆動シーブ６と、駆動シーブ６を回転させる巻上機モータ（図示せず）と、駆動シーブ６の回転を制動する巻上機ブレーキ（図示せず）とを有している。
【００１１】
駆動シーブ６及びそらせ車４には、懸架体７が巻き掛けられている。懸架体７としては、複数本のロープ又は複数本のベルトが用いられている。懸架体７の第１の端部には、かご８が接続されている。懸架体７の第２の端部には、釣合おもり９が接続されている。
【００１２】
かご８及び釣合おもり９は、懸架体７により昇降路１内に吊り下げられており、巻上機３により昇降路１内を昇降される。エレベータ制御装置５は、巻上機３を制御することにより、かご８の運行を制御する。
【００１３】
昇降路１内には、かご８の昇降を案内する一対のかごガイドレール（図示せず）と、釣合おもり９の昇降を案内する一対の釣合おもりガイドレール（図示せず）とが設置されている。かごガイドレールは、図１の紙面の奥行方向にかご８を挟むようにかご８の前後両側に配置されている。
【００１４】
かご８は、懸架体７が接続されたかご枠１０と、かご枠１０に支持されたかご室１１とを有している。かご室１１の前面には、エレベータドアとしての一対のかごドア１２が設けられている。かご８上には、かごドア１２の開閉動作を制御する開閉制御部としてのドアコントローラ１３が設けられている。ドアコントローラ１３は、例えば、エレベータ制御装置５とは独立したコンピュータにより構成することができる。
【００１５】
複数階の乗場には、一対の乗場ドア１４がそれぞれ設けられている。乗場ドア１４は、かご８の着床時にかごドア１２が係合することにより、かごドア１２に連動して開閉動作される。
【００１６】
図２は図１のかごドア１２及びその周辺をかご室１１内から見た正面図である。かご室１１の前面には、かご出入口１１ａが設けられている。かご出入口１１ａは、かごドア１２により開閉される。この例では、かごドア１２は、開閉動作時に互いに反対方向へ移動する（２枚戸中央開き式）。
【００１７】
かご出入口１１ａの左右及び上部には、かご出入口枠１５が設けられている。かご出入口枠１５は、かご出入口１１ａの左右に設けられている縦枠としての一対の出入口柱１６と、かご出入口１１ａの上部に設けられている上枠としての出入口上板１７とを有している。
【００１８】
出入口柱１６は、互いに平行かつ鉛直に配置されている。出入口上板１７は、出入口柱１６の上端部間に水平に配置されている。
【００１９】
一方の出入口柱１６の横の袖壁には、かご操作パネル１８が設置されている。かご操作パネル１８には、複数の行先階ボタン１９、戸開ボタン２０及び戸閉ボタン２１が設けられている。また、かご操作パネル１８の上部には、表示装置２２及びアナウンス装置（スピーカ）２３が設けられている。
【００２０】
かご出入口１１ａの上部の幅方向（図の左右方向）中央には、発光することによりかごドア１２の動作に対する利用者への注意喚起を行う発光器２４が設けられている。発光器２４は、出入口上板１７の下面の中央に取り付けられている。また、発光器２４は、出入口上板１７の表面から下方、即ちかご出入口１１ａ内へ突出している。
【００２１】
出入口上板１７の裏側には、発光器制御部２５が設置されている。発光器制御部２５は、第１の配線２６を介してドアコントローラ１３に接続されており、かごドア１２の動作に同期して発光器２４を制御する。具体的には、発光器制御部２５は、ドアコントローラ１３からの情報に基づいて、かごドア１２の開動作の開始直前及び／又は閉動作中に発光器２４を発光（例えば、点滅、単なる点灯）させる。なお、この発光としては、単なる点灯よりも点滅が注意喚起に好適である。
【００２２】
実施の形態１のエレベータの出入口装置は、かご出入口枠１５、かごドア１２、ドアコントローラ１３、発光器２４及び発光器制御部２５を有している。発光器制御部２５は、例えば、ドアコントローラ１３とは独立したコンピュータにより構成することができる。
【００２３】
図３は図２の発光器２４及び発光器制御部２５を拡大して示す正面図である。発光器２４は、発光体２７と、発光体２７を覆う照明カバー２８とを有している。発光体２７は、基板と、基板に設けられた光源とを有している。光源としては、例えばＬＥＤ（Ｌｉｇｈｔ  Ｅｍｉｔｔｉｎｇ  Ｄｉｏｄｅ）が用いられている。また、光源としてのＬＥＤとしては、光の三原色であるＲＧＢ（Ｒｅｄ／Ｇｒｅｅｎ／Ｂｌｕｅ）のＬＥＤ素子を並べることによって、単色だけはなくフルカラーで発光可能とするものであってもよい。
【００２４】
照明カバー２８には、発光体２７からの光を透過する光透過部２８ａが設けられている。光透過部２８ａは、例えばアクリル板等により構成されている。また、アクリル板は、透明あるいは半透明で着色されていてもよく、前述した発光体２７との組み合わせにより着色された光（可視光）の照射を実現できる。この例では、発光器２４の下面と、かごドア１２に対向する側面と、かごドア１２とは反対側の側面とに光透過部２８ａが設けられている。これにより、発光体２７からの光は、発光器２４の下方、かご室１１内側、及び乗場側にいる利用者へ向けて可視光として照射される。その他、図示されていない反射板やレンズを用いて光源からの光量を有効利用することもでき、効果的に注意喚起することができる。なお、発光体２７からの光量としては、出入口付近に立っている利用者にドアが開閉することを視覚的に気付かせることが目的であるため、子供の目線（子供の目の高さ）に届く程度の照射で十分である。
【００２５】
図４は図３の発光器２４及び発光器制御部２５の出入口上板１７への取付方法を示す分解図である。発光器制御部２５と発光体２７との間には、第２の配線２９が接続されている。出入口上板１７には、第２の配線２９を通す開口１７ａが設けられている。
【００２６】
発光体２７は、複数の発光体取付ねじ３０により、下側（かご出入口１１ａ側）から出入口上板１７に固定されている。照明カバー２８は、複数のカバー取付ねじ３１により、下側から出入口上板１７に固定されている。
【００２７】
出入口上板１７には、発光体取付ねじ３０が螺着される複数の発光体取付ねじ孔１７ｂと、カバー取付ねじ３１が螺着される複数のカバー取付ねじ孔１７ｃとが設けられている。
【００２８】
図５は図２のＶ−Ｖ線に沿う断面図である。出入口上板１７の下面からの発光器２４の突出寸法Ｈ１は、発光器２４の視認性を考慮して、４ｍｍよりも大きくする。また、利用者がかご出入口１１ａを通る際に発光器２４が邪魔にならないように、突出寸法Ｈ１は、２０ｍｍ以下とする。
【００２９】
さらに、突出寸法Ｈ１は、かご出入口１１ａの高さ寸法の１％以下とする。さらにまた、かご出入口１１ａの床面から発光器２４の下面までの高さ寸法Ｈ２は、１８５０ｍｍよりも大きくする。これは、戸開走行保護装置の動作において、停止距離と、停止後のクリアランス（１ｍ）とを確保するためであり、安全装置の性能への影響を最小限とするための寸法である。
【００３０】
なお、戸開走行保護装置とは、かご８がある階に戸を開いた状態で停止しているときに、意図せずかご８の位置が著しく移動した場合にかご８を制止させる装置であり、例えば、かご８が上昇した場合には、かご８の床面と乗場の天井面との間に十分なクリアランスを確保することが必要とされる。
【００３１】
図６は図２の発光器制御部２５の動作を示すフローチャートである。但し、ここではかごドア１２の開動作の開始直前と閉動作中の両状況において発光器２４を発光させる例について説明する。いずれか一方の状況で発光させる方法は有効・無効フラグを用いた判断ステップを追加すればよい。また、ＲＧＢのＬＥＤ素子を用いる場合、ＲＧＢの各素子の発光の組み合わせによる発光色（フルカラー）の変化パターンが発光器制御部２５により制御される。
【００３２】
発光器制御部２５は、図６の処理を所定の周期で繰り返し実行する。図６の処理において、発光器制御部２５は、まずドアコントローラ１３に戸開指令又は戸閉指令が発生しているかどうかを確認する（ステップＳ１、Ｓ２）。戸開指令も戸閉指令も発生していなければ、その回の処理は終了する。
【００３３】
また、戸開指令が発生している場合は、アナウンス装置２３等により、戸開動作を知らせる音声アナウンス（例えば、「ドアが開きます。ドアから離れて下さい。」等）をかご室１１内に放送する（ステップＳ３）。これとともに、戸開開始の所定時間前、ここでは２秒前から、発光体２７を点滅させる（ステップＳ４）。
【００３４】
かごドア１２の実際の開動作は、戸開指令が発生してから、音声アナウンスを放送したり発光体２７を点滅させたりするための時間が経過した後に開始される。このため、かごドア１２を開閉駆動するドアモータ（図示せず）の応答性が高い場合、ドアコントローラ１３は、戸開指令が発生してから、所定時間以上が経過した後にドアモータに指令信号を出力するようにしてもよい。
【００３５】
発光器制御部２５は、発光体２７の点滅を開始させた後、ドアコントローラ１３からの情報により、実際にかごドア１２の開動作が開始されたかどうかを確認し（ステップＳ５）、戸開動作が開始されると、発光体２７の点滅を終了させ（ステップＳ６）、処理を終了する。
【００３６】
一方、戸閉指令が発生している場合は、戸閉動作を知らせる音声アナウンス（例えば、「ドアが閉じます。ドアから離れて下さい。」等）をかご室１１内に放送し（ステップＳ７）、発光体２７を点滅させる（ステップＳ８）。
【００３７】
発光器制御部２５は、発光体２７の点滅を開始させた後、ドアコントローラ１３からの情報により、かごドア１２の閉動作が完了したかどうかを確認し（ステップＳ９）、戸閉動作が完了すると、発光体２７の点滅を終了させ（ステップＳ６）、処理を終了する。
【００３８】
このようなエレベータの出入口装置では、出入口上板１７の表面から突出した発光器２４が、かごドア１２の動作に同期して制御されるので、間接光を用いる場合や出入口上板１７に埋設する場合に比べて、利用者からの視認性を向上させる（目立たせる）ことができ、かごドア１２の動作時に利用者の注意をより確実に喚起することができる。
【００３９】
これにより、利用者や荷物が、戸開時に出入口柱１６とかごドア１２との間に引き込まれたり、戸閉時にかごドア１２間に挟まれたりするのをより効果的に防止することができる。
【００４０】
また、出入口上板１７の表面から発光器２４を敢えて突出させることにより、出入口上板１７に埋設する場合に比べて、真下へのみの注意喚起ではなく、真下以外（例えば、かご室１１内の中央付近等）にいる利用者に向けても直接的に注意を喚起することができる。これにより、真下への発光による照射では利用者が気付かないような場合であっても、確実な注意喚起が可能となる。
【００４１】
さらに、出入口上板１７の表面から発光器２４を敢えて突出させることにより、発光器２４の出入口上板１７への取付が容易である。即ち、出入口上板１７に対して、開口１７ａ、発光体取付ねじ孔１７ｂ及びカバー取付ねじ孔１７ｃ等を追加加工するだけで、発光器２４を容易に取り付けることができる。このため、既設の出入口上板１７への取付も容易である。また、意匠面への加工が少なく、かつ加工した箇所を発光器２４で隠すこともでき、意匠性を損なうことがない。従って、新設のエレベータだけでなく、既設のエレベータの出入口装置に容易に後付けできるという利点があるため、このようなエレベータの出入口装置は、既設エレベータにおける利用者の安全性（ドア動作に対する安全性）を向上できる、エレベータの改修工事においても有効である。
【００４２】
さらに、ドアコントローラ１３からの情報に基づいて、かごドア１２の開動作の開始直前及び／又は閉動作中に発光器２４を点滅させるので、戸開時に出入口柱１６とかごドア１２との間に引き込まれたり、戸閉時にかごドア１２間に挟まれたりするのを効率的に防止することができる。
【００４３】
さらにまた、発光器２４は出入口上板１７に取り付けられているので、利用者がかご出入口１１ａを通る際に邪魔になりにくく、しかも視認性に優れている。
また、ＲＧＢ各色の発光の組み合わせにより指定された任意の色に発光可能なＬＥＤ、あるいは着色されたカラーフィルタである光透過部２８ａを用いることにより、着色された可視光による照射が実現できるので、結果として、より効果的な注意喚起が実現できる。
【００４４】
さらに、戸開時に出入口柱１６とかごドア１２との間に手が引き込まれる利用者は、かご出入口１１ａの中央に立っていることが多い。これに対して、実施の形態１では、発光器２４がかご出入口１１ａの幅方向中央に配置されているので、かご出入口１１ａの中央に立っている利用者に特に効果的に戸開動作に対する注意を喚起することができる。
【００４５】
さらにまた、出入口上板１７には、開口１７ａとねじ孔１７ｂ，１７ｃとが設けられており、発光器２４は、かご出入口１１ａ側からねじ孔１７ｂ，１７ｃにねじ３０，３１を螺着することにより出入口上板１７に固定されており、開口１７ａには第２の配線２９が通されているので、出入口上板１７に対して、発光器２４及び発光器制御部２５を容易に取り付けることができる。
【００４６】
また、発光器制御部２５は、発光器２４の点滅とともに音声アナウンスも実行するので、視覚だけでなく、聴覚へも働きかけることができ、更なる注意喚起効果を期待できる。
【００４７】
実施の形態２．
次に、図７はこの発明の実施の形態２によるエレベータの出入口装置の要部断面図であり、図２のＶ−Ｖ線に沿う断面に相当する断面を示している。この例では、発光器２４は、出入口上板１７の下面ではなく、出入口上板１７のかご室１１の奥壁に対向する前面（かごドア１２の上端部に対向する面とは反対側の面）に、かご室１１内へ突出して取り付けられている。他の構成、発光器２４の取付方法、及び制御方法等は、実施の形態１と同様である。
【００４８】
このように、出入口上板１７の前面に発光器２４を取り付けた場合にも、かごドア１２の動作時に利用者の注意をより確実に喚起することができ、しかも発光器２４を出入口上板１７に少ない加工で容易に取り付けることができる。また、利用者がかご出入口１１ａを通る際に、発光器２４がより邪魔にならないようにすることができる。
【００４９】
実施の形態３．
次に、図８はこの発明の実施の形態３によるエレベータの出入口装置を示す正面図である。この例では、かごドア１２は、開閉動作時に同方向へ移動する高速ドア１２ａ及び低速ドア１２ｂである（片開き式）。高速ドア１２ａは戸袋から遠い側に配置され、低速ドア１２ｂは戸袋に近い側に配置されている。例えば、戸開時には、高速ドア１２ａ及び低速ドア１２ｂが戸袋側へ移動する。また、高速ドア１２ａと低速ドア１２ｂとは、開閉動作時に同じ時間での移動距離が異なっており、名称のとおり開閉動作の速度が異なっている。
【００５０】
また、発光器２４は、出入口上板１７の下面の戸袋側端部近傍に設けられている。他の構成、発光器２４の取付方法、及び制御方法等は、実施の形態１と同様である。
【００５１】
このように、片開き式の出入口装置では、戸袋に近い位置に発光器２４を設けることにより、特にかごドア１２の開動作時に、手などを引き込まれる可能性のある場所に近い位置で、利用者の注意をより確実に喚起することができる。
【００５２】
実施の形態４．
次に、図９はこの発明の実施の形態４によるエレベータの出入口装置を示す正面図である。この例では、かごドア１２は、開閉動作時に同方向へ移動する高速ドア１２ａ及び低速ドア１２ｂである（片開き式）。例えば、戸開時には、高速ドア１２ａ及び低速ドア１２ｂが戸袋側へ移動する。また、発光器２４は、出入口上板１７の下面の反戸袋側（戸当たり側）端部近傍に設けられている。他の構成、発光器２４の取付方法、及び制御方法等は、実施の形態１と同様である。
【００５３】
このように、片開き式の出入口装置では、戸当たり側端部に発光器２４を設けることにより、特にかごドア１２の閉動作時に、手などが挟まれる可能性のある場所に近い位置で、利用者の注意をより確実に喚起することができる。また、かごドア１２及び乗場ドア１４（図９には図示せず）が全閉される直前まで、発光器２４を乗場側からも視認させることができる。これにより、飛び込み乗車するなどの乗場にいる利用者への注意喚起の効果がある。
【００５４】
なお、実施の形態３、４に示したような、同方向へ移動する高速ドア１２ａと低速ドア１２ｂを有する片開き式の出入口装置において、かご出入口１１ａの上部の幅方向中央、例えば出入口上板１７の中央に発光器２４を設置してもよい（対応図は無し）。これにより、かごドア１２の開動作の開始時には、手などを引き込まれる場所に近い位置で、利用者の注意をより確実に喚起することができるため、高速ドア１２ａと低速ドア１２ｂとの間に手などが引き込まれることを効果的に防止することができる。
【００５５】
実施の形態５．
次に、図１０はこの発明の実施の形態５によるエレベータの出入口装置を示す正面図である。左右の出入口柱１６の互いに対向する面（かご出入口１１ａに臨む面）の上端部近傍には、発光器２４がそれぞれ設置されている。発光器２４の背部には、発光器制御部２５がそれぞれ設けられている。他の構成、発光器２４の取付方法、及び制御方法等は、実施の形態１と同様である。
【００５６】
このような構成では、かごドア１２の開閉方式が中央開き式である場合、左右の戸袋に近い位置にそれぞれ発光器２４を設けることにより、特にかごドア１２の開動作時に、利用者の注意をより確実に喚起することができる。
【００５７】
なお、かごドア１２の開閉方式が片開き式である場合、戸開開始の所定時間前から戸開開始まで戸袋側の発光器２４を点滅させ、戸閉動作中に戸当たり側の発光器２４を点滅させてもよい。
【００５８】
これにより、かごドア１２の開動作時には、手などを引き込まれる可能性のある場所に近い位置で、利用者の注意をより確実に喚起することができ、また、かごドア１２の閉動作時には、手などが挟まれる可能性のある場所に近い位置で、利用者の注意をより確実に喚起することができる。
【００５９】
また、実施の形態５では、発光器２４毎に発光器制御部２５を設けたが、１つの発光器制御部２５により２つの発光器２４を制御してもよい。
さらに、利用者がかご出入口１１ａを通る際に発光器２４が邪魔にならないように、発光器２４はできるだけ高い位置に配置するのが好ましい。また、左右の発光器２４の間には、かご出入口１１ａの幅寸法の９８％以上の間隔Ｗ１を確保するのが好適である。
【００６０】
実施の形態６．
次に、図１１はこの発明の実施の形態６によるエレベータの出入口装置を示す正面図である。この例では、かごドア１２は、開閉動作時に同方向へ移動する高速ドア１２ａ及び低速ドア１２ｂである（片開き式）。例えば、戸開時には、高速ドア１２ａ及び低速ドア１２ｂが戸袋側へ移動する。また、発光器２４は、戸袋側の出入口柱１６のかご出入口１１ａに臨む面の上端部近傍に設けられている。他の構成、発光器２４の取付方法、及び制御方法等は、実施の形態１と同様である。
【００６１】
このように、片開き式の出入口装置では、戸袋に近い位置に発光器２４を設けることにより、特にかごドア１２の開動作時に、手などを引き込まれる可能性のある場所に近い位置で、利用者の注意をより確実に喚起することができる。
【００６２】
実施の形態７．
次に、図１２はこの発明の実施の形態７によるエレベータの出入口装置を示す正面図である。この例では、かごドア１２は、開閉動作時に同方向へ移動する高速ドア１２ａ及び低速ドア１２ｂである（片開き式）。例えば、戸開時には、高速ドア１２ａ及び低速ドア１２ｂが戸袋側へ移動する。また、発光器２４は、反戸袋側（戸当たり側）の出入口柱１６のかご出入口１１ａに臨む面の上端部近傍に設けられている。他の構成、発光器２４の取付方法、及び制御方法等は、実施の形態１と同様である。
【００６３】
このように、片開き式の出入口装置では、戸当たり側の出入口柱１６に発光器２４を設けることにより、特にかごドア１２の閉動作時に、手などが挟まれる可能性のある場所に近い位置で、利用者の注意をより確実に喚起することができる。また、かごドア１２及び乗場ドア１４が全閉される直前まで、発光器２４を乗場側からも視認させることができる。これにより、飛び込み乗車するなどの乗場にいる利用者への注意喚起の効果がある。
【００６４】
実施の形態８．
次に、図１３はこの発明の実施の形態８によるエレベータの出入口装置を示す正面図である。この例では、左右２枚ずつ、合計４枚のかごドア１２により、かご出入口１１ａが開閉される（４枚戸中央開き式）。即ち、この例では、かごドア１２は、戸袋から遠い側に配置された２枚の高速ドア１２ａと、戸袋に近い側に配置された２枚の低速ドア１２ｂである。高速ドア１２ａと低速ドア１２ｂとは、開閉動作時に同じ時間での移動距離が異なっており、名称のとおり開閉動作の速度が異なっている。
【００６５】
出入口柱１６の下面には、かご出入口１１ａの幅方向に互いに間隔をおいて、２個の発光器２４がかご室内側に設置されている。発光器２４は、かご出入口１１ａの幅方向の中心に対して左右対称に配置されている。また、各発光器２４の背部には、発光器制御部２５がそれぞれ設けられている。他の構成、発光器２４の取付方法、及び制御方法等は、実施の形態１と同様である。
【００６６】
このように、かご出入口１１ａの幅方向寸法が大きい場合、２個以上の発光器２４を設置することにより、かごドア１２の動作時に、利用者の注意をより確実に喚起することができる。また、同方向へ移動する高速ドア１２ａと低速ドア１２ｂとの間に手などが引き込まれることに対しても、注意を喚起することができる。
【００６７】
実施の形態９．
次に、図１４はこの発明の実施の形態９によるエレベータの出入口装置を示す正面図である。これまで説明した実施の形態１から８までの発光器２４は、かご側の出入口枠に設けられていたが、ここでの発光器２４は、乗場側の出入口枠に設けられている。
【００６８】
乗場には、乗場出入口３２が設けられている。乗場出入口３２は、乗場ドア１４により開閉される。この例では、乗場ドア１４は、開閉動作時に互いに反対方向へ移動する（中央開き式）。
【００６９】
乗場出入口３２の左右及び上部には、出入口枠としての三方枠３３が設けられている。三方枠３３は、乗場出入口３２の左右に設けられている一対の縦枠３４と、乗場出入口３２の上部に設けられている上枠３５とを有している。
【００７０】
縦枠３４は、互いに平行かつ鉛直に配置されている。上枠３５は、縦枠３４の上端部間に水平に配置されている。
【００７１】
一方の縦枠３４の横の乗場壁には、乗場ボタン装置３６及びホールランタン３７が設置されている。また、乗場には、利用者に対して音声により情報を伝えるアナウンス装置（図示せず）も設置されている。
【００７２】
発光器２４は、乗場出入口３２の上部の幅方向（図の左右方向）中央に設けられている。また、発光器２４は、上枠３５の下面の中央に取り付けられている。さらに、発光器２４は、上枠３５の表面から下方、即ち乗場出入口３２内へ突出している。
【００７３】
発光器制御部２５は、ドアコントローラ１３からの情報に基づいて、乗場ドア１４の動作に同期して発光器２４を制御する。他の構成、発光器２４の取付方法、及び制御方法等は、実施の形態１と同様である。
【００７４】
このように、乗場出入口装置に発光器２４を設けることによっても、実施の形態１と同様の効果を得ることができる。
【００７５】
なお、乗場出入口装置についても、実施の形態２〜８で示したような発光器２４の個数や取付位置の変更を適用することができる。
また、乗場出入口に発光器２４を設置する場合、必ずしも全ての停止階に設置する必要はなく、例えば玄関階や混雑階など、一部の階を選択して設置してもよい。
【００７６】
なお、以上の実施の形態１から９に示した内容において、以降に示す変形も可能である。
さらに、音による注意喚起は、必ずしも行わなくてもよい。
さらにまた、音による注意喚起は、音声アナウンスではなく、単なる警告音やメロディ音で行ってもよい。
【００７７】
また、エレベータドアの枚数は、２枚又は４枚に限定されるものではなく、１枚、３枚又は５枚以上であってもよい。
さらに、発光器の点灯又は点滅のタイミングは、任意に設定可能である。
さらにまた、発光器２４の形状、個数、設置位置等は特に限定されるものではなく、例えば実施の形態１〜９を適宜組み合わせ、１つの出入口枠に３個以上の発光器２４を設置してもよい。
また、この発明が適用されるエレベータ装置のタイプは、図１のタイプに限定されるものではない。例えば、機械室レスエレベータ、２：１ローピング方式のエレベータ装置、ワンシャフトマルチカー方式のエレベータ装置、又はダブルデッキエレベータ等にも、この発明は適用できる。
【図１】
0005840289.tif 000002
【図２】
0005840289.tif 000003
【図３】
0005840289.tif 000004
【図４】
0005840289.tif 000005
【図５】
0005840289.tif 000006
【図６】
0005840289.tif 000007
【図７】
0005840289.tif 000008
【図８】
0005840289.tif 000009
【図９】
0005840289.tif 000010
【図１０】
0005840289.tif 000011
【図１１】
0005840289.tif 000012
【図１２】
0005840289.tif 000013
【図１３】
0005840289.tif 000014
【図１４】
0005840289.tif 000015